(57)【特許請求の範囲】
【請求項１】
軸筒の後端部に配置されたノック棒をノック操作することで、筆記体を前方に繰り出すことができるように回転繰出機構が備えられたノック式筆記具であって、
前記ノック棒のノック操作により前記軸筒内を摺動すると共に、その外周面に少なくとも１つの凸状部材が突出形成されてなるノック棒と、
前記ノック棒が摺動する軸筒の内周面において、もしくは前記軸筒内に配置された内筒部材の内周面において、軸方向に沿って平行状態に突出形成され、その前端部に鋸歯状の傾斜面をそれぞれ形成した第１と第２のカム部材、および前記一対のカム部材の後端側において両者を連結するようにして突出形成された連結部材とによりＵ字状に形成された係止カムが具備され、
前記ノック棒を後方に押し出す戻しバネの作用により、前記ノック棒における凸状部材が、前記係止カムのＵ字状空間内を往復移動すると共に、前記ノック棒が前記軸筒内に保持され、
前記第１と第２のカム部材の前後方向の長さが同一に形成され、前記ノック棒には、前端部側の外周面に前記凸状部材が形成されると共に、後端部側の外周面に凸状のリブ部材が形成され、前端部側の凸状部材と後端部側のリブ部材との間の距離をａとし、前記第１と第２のカム部材の前後の長さ方向の寸法をｂとした場合、ａ＞ｂの関係に設定されていることを特徴とするノック式筆記具。
【請求項２】
軸筒の後端部に配置されたノック棒をノック操作することで、筆記体を前方に繰り出すことができるように回転繰出機構が備えられたノック式筆記具であって、
前記ノック棒のノック操作により前記軸筒内を摺動すると共に、その外周面に少なくとも１つの凸状部材が突出形成されてなるノック棒と、
前記ノック棒が摺動する軸筒の内周面において、もしくは前記軸筒内に配置された内筒部材の内周面において、軸方向に沿って平行状態に突出形成され、その前端部に鋸歯状の傾斜面をそれぞれ形成した第１と第２のカム部材、および前記一対のカム部材の後端側において両者を連結するようにして突出形成された連結部材とによりＵ字状に形成された係止カムが具備され、
前記ノック棒を後方に押し出す戻しバネの作用により、前記ノック棒における凸状部材が、前記係止カムのＵ字状空間内を往復移動すると共に、前記ノック棒が前記軸筒内に保持され、
前記ノック棒の前端部側の外周面には複数の前記凸状部材が周方向に沿って等間隔をもって形成されると共に、前記軸筒の内周面もしくは前記軸筒内に配置された内筒部材の内周面には、前記凸状部材と同数のＵ字状に形成された係止カムが内周方向に沿って等間隔をもって形成され、前記ノック棒に形成された凸状部材の幅をｅとし、Ｕ字状に形成された係止カムの間に形成された縦溝の幅をｄとした場合、ｄ＞ｅの関係に設定され、
前記ノック棒には、前端部側の外周面に複数の前記凸状部材が周方向に沿って等間隔をもって形成されると共に、後端部側の外周面に前記凸状部材と同数の凸状のリブ部材が周方向に沿って等間隔をもって形成され、前記ノック棒に形成された凸状部材とリブ部材とは、ノック棒の軸方向で視た場合、等間隔をもって交互に配置されていることを特徴とするノック式筆記具。
【請求項３】
前記軸筒内に前記内筒部材を配置した構成において、前記内筒部材の外周面の一部に係止部が突出形成され、前記軸筒の側壁に形成された窓孔内に、前記係止部が係止されることで、前記内筒部材が前記軸筒内に固定されていることを特徴とする請求項１または請求項２に記載されたノック式筆記具。
【請求項４】
前記内筒部材には、前記ノック棒を軸筒の後端部側から挿入したときに、前記ノック棒に形成された大径部の側面に接して、前記ノック棒の脱落を阻止する接触部材が形成されていることを特徴とする請求項３に記載されたノック式筆記具。
【発明の詳細な説明】
【技術分野】
【０００１】
この発明は、ノック棒のノック操作により筆記先端を軸筒の先端開口より出没可能にするノック式筆記具に関する。
【背景技術】
【０００２】
従来のノック式筆記具、例えばノック式ボールペンにおいては、ノック棒のノック操作により軸筒内に配置された回転繰出機構によりリフィール先端のボールペンチップ部が軸筒の先端開口より繰り出され、再度のノック操作により前記ボールペンチップ部が後退して軸筒内に収容されるように構成されている。
【０００３】
この種のノック式ボールペンにおいては、軸筒の後端部に突出するようにノック棒が配置されており、その組み立てにあたっては、ペン先側の比較的内径の大きな軸筒の開口より前記ノック棒を挿入し、軸筒後端部の比較的内径の小さな開口からノック棒の先端部が突出するようにセットされる。
【０００４】
すなわち前記ノック棒は、その基端部が軸筒後端部の比較的内径が小さな前記開口周囲の段部に引っ掛かるような寸法関係になされ、これにより前記ノック棒が軸筒の後端部から抜け落ちないように構成されている。
【０００５】
前記した構成のノック式ボールペンにおいては、軸筒の後端部付近にカーンノック機構と称呼されている回転繰出機構を配置するために、軸筒もしくは軸筒内に挿入された内筒部材内に沿って、鋸歯状に形成された回転子駆動機構（カム部材とも言う。）を施す必要がある。このために前記ノック棒の先端部外径は、前記カム部材の内径よりもさらに小径にしなければならない。
【０００６】
したがって、軸筒が細いスリムなデザインになされた筆記具製品に、前記回転繰出機構を搭載する場合には、なおさらノック棒の先端部外径を細径にする必要がある。しかしながら、ノック棒の先端部外径が極端に細径になされた場合には、軸筒の外径とノック棒の外径にアンバランスな感覚が生じてテザイン上において好ましくはない。
【０００７】
このような問題を回避するために、ノック棒の先端部に別部品により構成した大径のノックカバーをあと付けしたノック式ボールペンが、次に示す特許文献１に開示されている。また同様にノック部を太く見せかけるために、ノック棒に別部品を嵌合させたノック式ボールペンが特許文献２に開示されている。
【先行技術文献】
【特許文献】
【０００８】
【特許文献１】特開２００８−９９８号公報
【特許文献２】特開平１０−１１９４８１号公報
【発明の概要】
【発明が解決しようとする課題】
【０００９】
前記した先行技術文献に開示のノック式ボールペンを含む従来のノック式筆記具は、いずれにおいてもノック棒を軸筒のペン先側から挿入して組み立てるために、あと付けとして前記した特許文献１および２に示すような別部品を用意して、ノック棒の先端部にこれを嵌合させるなどの組み立て工程が必要であった。
【００１０】
これによると、部品点数の増加により組立手順の増加、樹脂部品の製造に要する金型投資等によるコスト増が問題となる。
【００１１】
この発明は、前記した従来のノック式筆記具の問題点を解消するためになされたものであり、前記ノック棒を軸筒の後端部側から挿入して組み立てることを可能にすると共に、前記ノック棒等が軸筒から脱落するのを防止することができる取り付け機構を提案するものであり、さらにノック棒を軸筒の後端部側に挿入して組み立てる場合の組み立て作業を簡素化させることができるノック式筆記具を提供することを課題とするものである。
【課題を解決するための手段】
【００１２】
前記した課題を解決するためになされたこの発明にかかるノック式筆記具は、軸筒の後端部に配置されたノック棒をノック操作することで、筆記体を前方に繰り出すことができるように回転繰出機構が備えられたノック式筆記具であって、前記ノック棒のノック操作により前記軸筒内を摺動すると共に、その外周面に少なくとも１つの凸状部材が突出形成されてなるノック棒と、前記ノック棒が摺動する軸筒の内周面において、もしくは前記軸筒内に配置された内筒部材の内周面において、軸方向に沿って平行状態に突出形成され、その前端部に鋸歯状の傾斜面をそれぞれ形成した第１と第２のカム部材、および前記一対のカム部材の後端側において両者を連結するようにして突出形成された連結部材とによりＵ字状に形成された係止カムが具備され、前記ノック棒を後方に押し出す戻しバネの作用により、前記ノック棒における凸状部材が、前記係止カムのＵ字状空間内を往復移動すると共に、前記ノック棒が前記軸筒内に保持され、前記第１と第２のカム部材の前後方向の長さが同一に形成され、前記ノック棒には、前端部側の外周面に前記凸状部材が形成されると共に、後端部側の外周面に凸状のリブ部材が形成され、前端部側の凸状部材と後端部側のリブ部材との間の距離をａとし、前記第１と第２のカム部材の前後の長さ方向の寸法をｂとした場合、ａ＞ｂの関係に設定されている点に特徴を有する。
【００１５】
また、この発明にかかるノック式筆記具は、軸筒の後端部に配置されたノック棒をノック操作することで、筆記体を前方に繰り出すことができるように回転繰出機構が備えられたノック式筆記具であって、前記ノック棒のノック操作により前記軸筒内を摺動すると共に、その外周面に少なくとも１つの凸状部材が突出形成されてなるノック棒と、前記ノック棒が摺動する軸筒の内周面において、もしくは前記軸筒内に配置された内筒部材の内周面において、軸方向に沿って平行状態に突出形成され、その前端部に鋸歯状の傾斜面をそれぞれ形成した第１と第２のカム部材、および前記一対のカム部材の後端側において両者を連結するようにして突出形成された連結部材とによりＵ字状に形成された係止カムが具備され、前記ノック棒を後方に押し出す戻しバネの作用により、前記ノック棒における凸状部材が、前記係止カムのＵ字状空間内を往復移動すると共に、前記ノック棒が前記軸筒内に保持され、前記ノック棒の前端部側の外周面には複数の前記凸状部材が周方向に沿って等間隔をもって形成されると共に、前記軸筒の内周面もしくは前記軸筒内に配置された内筒部材の内周面には、前記凸状部材と同数のＵ字状に形成された係止カムが内周方向に沿って等間隔をもって形成され、前記ノック棒に形成された凸状部材の幅をｅとし、Ｕ字状に形成された係止カムの間に形成された縦溝の幅をｄとした場合、ｄ＞ｅの関係に設定され、前記ノック棒には、前端部側の外周面に複数の前記凸状部材が周方向に沿って等間隔をもって形成されると共に、後端部側の外周面に前記凸状部材と同数の凸状のリブ部材が周方向に沿って等間隔をもって形成され、前記ノック棒に形成された凸状部材とリブ部材とは、ノック棒の軸方向で視た場合、等間隔をもって交互に配置されている点に特徴を有する。
【００１６】
また、前記軸筒内に前記内筒部材を配置した構成を採用した場合においては、前記内筒部材の外周面の一部に係止部が突出形成され、前記軸筒の側壁に形成された窓孔内に、前記係止部が係止されることで、前記内筒部材が前記軸筒内に固定された構成を好適に採用することができる。
【００１７】
この場合、前記内筒部材には、前記ノック棒を軸筒の後端部側から挿入したときに、前記ノック棒に形成された大径部の側面に接して、前記ノック棒の脱落を阻止する接触部材が形成されていることが望ましい。
【発明の効果】
【００１８】
前記した構成のノック式筆記具によると、軸筒の内周面において、もしくは前記軸筒内に配置された内筒部材の内周面において、第１と第２のカム部材および連結部材とによりＵ字状に突出形成した係止カムが備えられ、ノック棒の外周面に形成された凸状部材が前記係止カムのＵ字状空間内に収容されるように構成されているので、これにより前記ノック棒を軸筒の後端部に確実に装着させることができる。
【００１９】
加えて、前記ノック棒における前端部側の外周面に形成された複数の凸状部材と、後端部側の外周面に形成された複数のリブ部材とを、ノック棒の軸方向で視た場合、等間隔をもって交互に配置した構成にされているので、前記リブ部材をＵ字状に突出形成された各係止カムの間の縦溝部に挿入し、そのままノック棒を引き出す操作を実行することで、ノック棒に形成された前記凸状部材を前記係止カムのＵ字状空間内に容易に収容させることができる。
【００２０】
前記した構成によると、ノック式筆記具における特にノック棒部分の組み立て作業を容易にかつ簡素化させることができると共に、前記したノック棒が軸筒から抜け落ちるのを防止する機構を軸筒内に形成することができる。よって、前記した先行技術文献に開示されているようにノック棒の先端部に他部品を装着させてデザイン上のバランスを図る必要性を排除することができ、ノック棒を軸筒の後端部側から容易に装着させることが可能となる。
【図面の簡単な説明】
【００２１】
【図１】この発明にかかるノック式筆記具の正面図および中央断面図である。
【図２】軸筒の好ましい外形形態を示す部分拡大図である。
【図３】軸筒の他の好ましい外形形態を示す部分拡大図である。
【図４】軸筒とその内部に収容された内筒部材およびノック棒等の配置関係を示した断面図である。
【図５】図４に示す内筒部材を拡大して示した斜視図、正面図および中央断面図である。
【図６】図５における鎖線Ｅで囲まれた内筒部材の部分拡大図である。
【図７】ノック棒を拡大して示した斜視図および正面図である。
【図８】軸筒内へのノック棒の装着順序を説明する模式図である。
【図９】図８に続く軸筒内へのノック棒の装着順序を説明する模式図である。
【発明を実施するための形態】
【００２２】
以下、この発明にかかるノック式筆記具について、ノック式ボールペンを対象にした実施の形態に基づいて説明する。図１（Ａ）はボールペンの全体を示した外観図であり、（Ｂ）は（Ａ）に示す中央の軸芯より矢印方向に視た状態の断面図で示している。
【００２３】
この実施の形態にかかるボールペンは、軸筒１が例えばポリプロピレンやポリカーボネイト等の膨潤しにくい樹脂材料、若しくはアルミニウム、ジュラルミン等の金属素材により構成されて、全体がスリムなデザインになされている。特に軸筒を金属素材により成形する場合においては、前記した軽金属を用いることで、軸筒が占める重量を軽減することができるので、長時間の筆記においても手への負担がかからない点で望ましい。
【００２４】
そして軸筒１の前端部には、内周にねじ山が敷設された螺合部材２が嵌め込まれ、この螺合部材２に対して口先部３がねじ込まれて着脱可能に取り付けられている。
【００２５】
前記軸筒１は、筆記時におけるグリップの把持性向上のため、軸筒表面は図２に拡大して示しているように、軸線方向に沿って直線部Ｓと中央がわずかに窪んだ曲線部Ｃとが交互に連続した構成、若しくは図３に拡大して示しているように、中央がわずかに窪んだ曲線部Ｃが連続した構成になされている。
【００２６】
図２および図３に示す曲線部Ｃは、一般的な人の指の指紋にフィットするように、曲線部Ｃの曲率半径Ｒ＝０．３ｍｍ〜０．５ｍｍで形成され、また曲線部Ｃの各中央部における軸方向の距離Ｄは、０．３〜０．５ｍｍであるのが望ましい。前記した軸筒１の構成によると、筆記荷重が加わる軸方向に直交するように連続した窪みが形成されるので、たとえ筆圧が強い人が扱っても、筆記荷重による軸方向への滑りが発生し難く、把持性能を向上させることができる。
【００２７】
なお、前記した軸筒１は、素材が樹脂の場合には射出成形により成形することができ、素材が金属の場合には自動盤、旋盤による加工、焼結による加工等を利用することで成形することができる。
【００２８】
図１に戻り、前記軸筒１の後端部には、合成樹脂製の中筒部材４が嵌合されて取り付けられており、この中筒部材４の端部側面に形成された取付部４ａに金属製のクリップ５の基端部が挿入されて取り付けられている。また、前記中筒部材４内にノック棒６が軸方向に摺動可能に取り付けられており、この実施の形態においては、前記ノック棒６には、金属製の飾りカバー７が装着されている。
【００２９】
前記軸筒１内には、筆記体としてのボールペンリフィール８が収容されており、このリフィール８は、当該リフィールの一部に形成された径の異なる段部と前記口先部３との間に配置された戻しバネ９により、後方に付勢力を受けている。そして、リフィール８の後端部は、前記中筒部材４内に収容された回転子１１に当接されている。
【００３０】
前記回転子１１は、前記ノック棒６のノック操作を受けてリフィール８と共に前進し、ノック棒６の再度のノック操作を受けて、前記戻しバネ９の作用により図１に示す後退位置に移動するように構成されている。すなわち、前記中筒部材４内には、後述するようにカム部材が形成され、このカム部材に当接する前記回転子１１と共に、カーンノック機構と称される回転繰出機構が構成されている。
【００３１】
図４は前記軸筒１の後端部に収容された中筒部材４および回転子１１等の構成を示したものであり、（Ａ）および（Ｂ）は、切断面が軸芯において互いに９０度ずらした位置関係における断面図で示している。
【００３２】
図４に示されたように、前記中筒部材４には、当該中筒部材の側面に突出するように係止部４ｂが形成されており、この係止部４ｂが前記軸筒１の側壁に形成された窓孔１ａ内に入りこむことで、前記内筒部材４が前記軸筒１内に固定されている。すなわち、前記中筒部材４は軸筒１の後端部から軸筒内に挿入されることで、前記係止部４ｂが軸筒１の窓孔１ａ内に係合し、これにより前記中筒部材４は軸筒１の後端部から脱落しないように嵌合される。なお前記係止部４ｂの詳細な構成については、後で図６に基づいて説明する。
【００３３】
前記中筒部材４の構成は図５にも示されているとおり、前記係止部４ｂの配置位置とは周方向の反対側に、前記したノック棒６への接触部材４ｃが形成されている。この接触部材４ｃは、中筒部材４内に挿入されるノック棒６の後述する大径部１８に若干のバネ力をもって接するように作用するものである。
【００３４】
この接触部材４ｃは、後述するようにノック棒６を軸筒１の後端部側から中筒部材４内に挿入した場合、ノック棒６の前記した大径部に接してノック棒６が中筒部材４から抜け落ちないように仮止めする機能を果たす。すなわち、図示せぬ治具等を用いてノック棒６を中筒部材４内に装着する場合において、とりあえずノック棒６を中筒部材４内に仮止めしておくために好適に利用することができる。
【００３５】
図５（Ｃ）に示すように、前記中筒部材４の内周面には、その前端部に鋸歯状の傾斜面Ａをそれぞれ形成した第１カム部材１３ａと第２のカム部材１３ｂが互いに平行状態に突出形成されており、前記一対のカム部材の後端側において両者を連結するようにして突出形成された連結部材１３ｃとによりＵ字状に形成されて係止カム１３を構成している。
【００３６】
この実施の形態においては、前記第１カム部材１３ａと第２のカム部材１３ｂの軸方向の長さは、互いに同一となるように成形されている。そして、それぞれがＵ字状に形成された３つの前記係止カム１３が、中筒部材４内の周方向に等間隔に配置されており、各係止カム１３の間は、内周面に突出形成された各係止カム１３に対して相対的に凹んだ縦溝部１４になされている。
【００３７】
この縦溝部１４による隙間は、前記ノック棒６を軸筒１の後端部側から挿入して装着する際に、ノック棒６の先端部に形成された後述する凸状部材が通過して、前記係止カム１３のＵ字状空間内に入り込むことができるように機能する。
【００３８】
図６は、図５における鎖線Ｅで囲まれた内筒部材４における係止部４ｂの部分を拡大して示したものである。この係止部４ｂは、傾斜面Ｓを介して内筒部材４の外側へ若干突出した状態に成形されており、前記したとおり、この係止部４ｂが軸筒１の窓孔１ａ内にその内側から係合することで、中筒部材４を軸筒１内に保持させる機能を果たす。
【００３９】
前記係止部４ｂの表面には、前記傾斜面Ｓ上から続くようにして軸線に平行する突起Ｐが形成されている。この直線状に形成された突起Ｐは、前記係止部４ｂが軸筒１の側壁に形成された窓孔１ａ内に入りこむ際に、係止部４ｂが過度に磨耗するのを効果的に防止し、これにより係止部４ｂが軸筒１に対して挿入不良になるのを防ぐことができる。
【００４０】
図７（Ａ），（Ｂ）は前記したノック棒６の構成を示したものであり、このノック棒６は合成樹脂により円筒状に構成されており、その先端部周面には前記した凸状部材１６が軸方向に沿って形成されている。この凸状部材１６は、周方向に等間隔をもって３つ形成されており、これが後で説明するとおり前記係止カム１３のＵ字状空間内に入り込んだ状態で軸方向に摺動可能に装着され、これによりノック棒６は軸筒１の後端部から脱落するのが防止できるように作用する。
【００４１】
また、前記ノック棒６の前端部の端面には、円環状に山谷が連続する山谷部１７が形成されており、これは図４に示すように回転子１１の端面に形成された同様の山谷部１１ａに当接して、回転子１１を若干一方向に回動させるように作用する。一方、回転子１１の周側面には、前記したカム部材１３ａと同様に、鋸歯状の傾斜面を備えた３つのカム部材１１ｂが周方向に等間隔に形成されている。
【００４２】
前記した回転子１１は、前記カム部材に具備された鋸歯状の傾斜面が、前記第１と第２のカム部材１３ａ，１３ｂにおける傾斜面Ｓに当接して、前記ノック棒６のノック操作ごとに回転子１１に回転運動を与える。これにより、前記回転子１１側の前記カム面は、前記カム部材１３ａ，１３ｂの間に当接して軸方向の前方位置に設定される状態と、前記した縦溝部１４内に落ち込んで軸方向の後方位置に移動する状態とが繰り返される。
【００４３】
これに伴い、前記したバネ部材９により後方に付勢されている前記リフィール８のボールペンチップ部は、口先部３の先端開口より繰り出される筆記可能な状態と、ボールペンチップ部が後退して軸筒内に収容される状態とが交互に選択される。なお前記した構成は従来からカーンノック機構と呼ばれている。
【００４４】
一方、図７に示すように、前記ノック棒６の後端部付近には、大径部１８が鍔状に形成されており、前記大径部１８より前方に向かって凸状のリブ部材１９が１２０度の間隔をもって形成されている。なお、この凸状のリブ部材１９と、前記した凸状部材１６とは、互いにノック棒６の軸方向で視た場合、６０度の等間隔をもって互い違いに配置されている。
【００４５】
図８および図９は、前記した軸筒１に取り付けられた内筒部材４に対してノック棒６を後端部側から装着する手順を模式的に示したものである。なお図８および図９においては、内筒部材４内に等間隔に形成されたカム部材１３のうちの２つを平面状に展開すると共に、ノック棒６の外周面に等間隔で形成された凸状部材１６および凸状のリブ部材１９も適宜の数を平面状に展開した状態で示している。
【００４６】
前記内筒部材４内にノック棒６を装着する場合、ノック棒６の先端外周に形成された前記凸状部材１６が、内筒部材４内に形成された連結部材１３ｃに当接することがある。この場合には前記ノック棒６を若干に左右に回すことにより、図８（Ａ）に示すように、各凸状部材１６を各係止カム１３間に形成された縦溝部１４内に案内することができる。
【００４７】
すなわち、前記ノック棒６に形成された凸状部材１６の幅ｅは、内筒部材４内の係止カム１３間に形成された縦溝部１４の幅ｄに対して若干狭く形成されている。
【００４８】
この状態で、前記ノック棒６を内筒部材４内に挿入すると、図８（Ｂ）に示すように凸状部材１６は、縦溝部１４内を通り、第１と第２のカム部材１３ａ，１３ｂの前端部に達する。この時、連結部材１３ｃに対して、ノック棒６の外周面に形成された凸状のリブ部材１９が当接する。これは前記したとおり凸状部材１６と、リブ部材１９とは、互いにノック棒６の軸方向で視た場合、６０度の等間隔をもって互い違いに配置されているためである。
【００４９】
図８（Ｂ）に示すように、連結部材１３ｃに対してリブ部材１９が当接した場合には、前記各凸状部材１６は、第１と第２のカム部材１３ａ，１３ｂの前端部よりもさらに前方に位置している。すなわち、前記ノック棒６に形成された凸状部材１６と凸状のリブ部材１９との距離をａとし、前記第１と第２のカム部材１３ａ，１３ｂの長さ方向の寸法をｂとした場合、ａ＞ｂの関係に設定されている。
【００５０】
続いて、ノック棒６を軽く押し込みながら若干回動（６０度回動）させる操作をすることで、図８（Ｃ）に示すようにリブ部材１９の先端部は前記した縦溝部１４内に入り込む。この時、各凸状部材１６は前記した第１と第２のカム部材１３ａ，１３ｂの間に位置することになる。
【００５１】
この状態で、図９（Ｄ）に示すようにノック棒６を後方に引き戻すことで、各凸状部材１６は、第１と第２のカム部材１３ａ，１３ｂの間におけるＵ字状の空間部に入り込む。これにより、各凸状部材１６が、第１と第２のカム部材を連結する連結部材１３ｃに当接するので、連結部材１３ｃがストッパーとなって、ノック棒６が抜け落ちるのが阻止される。
【００５２】
この状態で、ノック棒６をノック操作することで、図９（Ｅ）に示すように各凸状部材１６が第１と第２のカム部材１３ａ，１３ｂの間におけるＵ字状の空間部内を移動することになる。すなわち、ノック棒６に形成された凸状部材１６は、前記Ｕ字状の空間内を移動してノック棒６をガイドし、ノック棒６は前後方向にノック操作がなされるように機能する。
【００５３】
そして、ノック棒６の先端側に位置する前記した回転子１１と、中筒部材４に形成された前記係止カム１３等を含む回転繰出機構（カーンノック機構）により、軸筒１内に収容されたリフィール８を前後動させることができ、前記ノック棒６のノック操作のたびにボールペンチップ部を口先部の先端開口より出没させることができる。
【００５４】
なお、前記した実施の形態によると、中筒部材４とノック棒６との間に、図４に示すように中空部ｇを形成することができる。したがって、この中空部ｇにコイルバネを収容することで、前記ボールペンチップ部の出没状態に関係なく、ノック棒６を常に後方位置に突出させた姿勢を保持させることができる。
【００５５】
以上説明した実施の形態においては、軸筒１の後端部に係止カム１３等を形成した中筒部材４を嵌め込んだ構成にされているが、これは中筒部材４を用いずに、軸筒１の内周面に前記係止カム１３等を形成させることで、同様の構成の筆記具を実現させることができる。
【００５６】
また、前記した実施の形態においては、中筒部材４に形成された係止カム１３、ノック棒６に形成された凸状部材１６およびリブ部材１９は、それぞれ３つ形成されているが、これらの数は任意に設定することができる。
【００５７】
さらに、この発明にかかるノック式筆記具は、実施の形態に示したようなボールペン以外に、修正ペンや糊塗布ペンなどにも適用することができる。
【符号の説明】
【００５８】
１      軸筒
１ａ    窓孔
３      口先部
４      中筒部材
４ｂ    係止部
４ｃ    接触部材
６      ノック棒
８      ボールペンリフィール（筆記体）
９      戻しバネ
１１    回転子
１３    係止カム
１３ａ  第１カム部材
１３ｂ  第２カム部材
１３ｃ  連結部材
１４    縦溝部
１６    凸状部材
１７    山谷部
１８    大径部
１９    リブ部材
Ａ      傾斜面
Ｐ      突起
【図１】
0005495421.tif 000002
【図２】
0005495421.tif 000003
【図３】
0005495421.tif 000004
【図４】
0005495421.tif 000005
【図５】
0005495421.tif 000006
【図６】
0005495421.tif 000007
【図７】
0005495421.tif 000008
【図８】
0005495421.tif 000009
【図９】
0005495421.tif 000010